(57)【要約】      （修正有）【課題】ノートを収納しつつ、複数の書類を見やすく複数のポケットに収納できる書類収納ノートカバーを提供する。【解決手段】第１面１１の内側面のポケット１１ａと第２面１２の内側面のポケット１２ａでノートを固定収納し、第１面１１の外側面のポケット、第２面１２の外側面のポケット、第３面１３の内側面のポケット１３ａ、第３面の外側面のポケット、第４面１４の内側面のポケット１４ａ、第４面１４の外側面のポケットに書類を収納する書類収納ノートカバーである。【選択図】図１
0003210837.tif 000002
【実用新案登録請求の範囲】
【請求項１】
ノートと書類を収納する書類収納ノートカバーであって、
前記ノートの表表紙をカバーする第１面と、
前記ノートの裏表紙をカバーする第２面と、
前記第１面と前記第２面とを接続し、折り曲げ可能な第１の接続部と、
前記第１面の前記第１の接続部とは反対側の端部に第２の接続部を介して接続する第３面と、
前記第２面の前記第１の接続部とは反対側の端部に第３の接続部を介して接続する第４面とを備え、
前記第１面の外側面、前記第２面の外側面、前記第３面の外側面と内側面、前記第４面の外側面と内側面に、それぞれ透明素材のポケットを設けたことを特徴とする書類収納ノートカバー。
【請求項２】
第１面と第３面とを接着させる第１の接着部と、
第２面と第４面とを接着させる第２の接着部とを有することを特徴とする請求項１記載の書類収納ノートカバー。
【請求項３】
第１の接着部が、一対のスナップボタンであり、
第２の接着部が、別の一対のスナップボタンであることを特徴とする請求項２記載の書類収納ノートカバー。
【請求項４】
第１面の内側面におけるノートの表表紙を保持する第１の保持部と、第２面の内側面における前記ノートの裏表紙を保持する第２の保持部とが、それぞれ透明素材で形成されていることを特徴とする請求項１乃至３のいずれか記載の書類収納ノートカバー。
【請求項５】
第１面の外側面に設けられたポケットは、第１の接続部側に挿入口が設けられ、
第２面の外側面に設けられたポケットは、前記第１の接続部側に挿入口が設けられ、
第３面の外側面と内側面に設けられたポケットは、第２の接続部とは反対側の端部に挿入口が設けられ、
第４面の外側面と内側面に設けられたポケットは、第３の接続部とは反対側の端部に挿入口が設けられていることを特徴とする請求項１乃至４のいずれか記載の書類収納ノートカバー。
【考案の詳細な説明】
【技術分野】
【０００１】
本考案は、書類を収納可能なノートカバーに係り、特に、様々な書類を多くのポケットに見やすく収納できる書類収納ノートカバーに関する。
【背景技術】
【０００２】
［先行技術の説明］
従来のノートカバーは、基本的にはノートを収納して、開いた時にノートを使用しやすい構成となっており、書類の収納は、副次的で一つか二つのポケットに収納する程度のものであった。
【０００３】
［関連技術］
尚、関連する先行技術としては、特開平０７−１５６５８７号公報「書類整理用ファイル」（特許文献１）、特開２０００−０１５９７５号公報「書類収納用ポケットシート」（特許文献２）、特開２００２−２５４８７１号公報「屏風状ファイル」（特許文献３）、特開２０１１−１２６２０５号公報「ノートカバー」（特許文献４）、実用新案登録第３０３３９３７号公報「ファイル」（特許文献５）がある。
【０００４】
特許文献１は、観音開きで一度に４面の書類を閲覧できる構成ではあるが、ノートを差し込む構成とはなっていない。
特許文献２は、ポケットシート自体が透明であるものの、６面で書類を閲覧できる構成ではない。
特許文献３は、屏風状にファイルを折り畳むことができ、そこに透明のポケットが形成される構成ではあるが、ノートを差し込む構成とはなっていない。
【０００５】
特許文献４は、ノートカバーであって透明ポケットを備えているものの、６面で書類を閲覧できる構成ではない。
特許文献５は、観音開きで表と裏で書類を閲覧できる構成ではあるが、ノートを差し込む構成とはなっていない。
【先行技術文献】
【特許文献】
【０００６】
【特許文献１】特開平０７−１５６５８７号公報
【特許文献２】特開２０００−０１５９７５号公報
【特許文献３】特開２００２−２５４８７１号公報
【特許文献４】特開２０１１−１２６２０５号公報
【特許文献５】実用新案登録第３０３３９３７号公報
【考案の概要】
【考案が解決しようとする課題】
【０００７】
しかしながら、上記従来のノートカバーでは、ノートを収納しつつ、様々な書類を見やすく収納できるものとはなっておらず、ノートと共に多様な書類を分留して携帯できるものとはなっていないという問題点があった。
【０００８】
尚、特許文献１〜５には、ノートを収納すると共に、複数の書類を分けて整理できる構成とはなっていないものである。
【０００９】
本考案は上記実状に鑑みて為されたもので、ノートを収納しつつ、複数の書類を見やすく複数のポケットに収納できる書類収納ノートカバーを提供することを目的とする。
【課題を解決するための手段】
【００１０】
上記従来例の問題点を解決するための本考案は、ノートと書類を収納する書類収納ノートカバーであって、ノートの表表紙をカバーする第１面と、ノートの裏表紙をカバーする第２面と、第１面と第２面とを接続し、折り曲げ可能な第１の接続部と、第１面の第１の接続部とは反対側の端部に第２の接続部を介して接続する第３面と、第２面の第１の接続部とは反対側の端部に第３の接続部を介して接続する第４面とを備え、第１面の外側面、第２面の外側面、第３面の外側面と内側面、第４面の外側面と内側面に、それぞれ透明素材のポケットを設けたことを特徴とする。
【００１１】
また、本考案は、上記書類収納ノートカバーにおいて、第１面と第３面とを接着させる第１の接着部と、第２面と第４面とを接着させる第２の接着部とを有することを特徴とする。
【００１２】
また、本考案は、上記書類収納ノートカバーにおいて、第１の接着部が、一対のスナップボタンであり、第２の接着部が、別の一対のスナップボタンであることを特徴とする。
【００１３】
また、本考案は、上記書類収納ノートカバーにおいて、第１面の内側面におけるノートの表表紙を保持する第１の保持部と、第２面の内側面におけるノートの裏表紙を保持する第２の保持部とが、それぞれ透明素材で形成されていることを特徴とする。
【００１４】
また、本考案は、上記書類収納ノートカバーにおいて、第１面の外側面に設けられたポケットは、第１の接続部側に挿入口が設けられ、第２面の外側面に設けられたポケットは、第１の接続部側に挿入口が設けられ、第３面の外側面と内側面に設けられたポケットは、第２の接続部とは反対側の端部に挿入口が設けられ、第４面の外側面と内側面に設けられたポケットは、第３の接続部とは反対側の端部に挿入口が設けられていることを特徴とする。
【考案の効果】
【００１５】
本考案によれば、ノートの表表紙をカバーする第１面と、ノートの裏表紙をカバーする第２面と、第１面と第２面とを接続し、折り曲げ可能な第１の接続部と、第１面の第１の接続部とは反対側の端部に第２の接続部を介して接続する第３面と、第２面の第１の接続部とは反対側の端部に第３の接続部を介して接続する第４面とを備え、第１面の外側面、第２面の外側面、第３面の外側面と内側面、第４面の外側面と内側面に、それぞれ透明素材のポケットを設けた書類収納ノートカバーとしているので、ノートを収納すると共に、複数の書類を複数のポケットに収納でき、ノートと共に多様な書類を分類・整理して携帯できる効果がある。
【図面の簡単な説明】
【００１６】
【図１】本カバーの正面説明図である。
【図２】本カバーの背面説明図である。
【図３】本カバーが折り畳まれた状態を示す概略図である。
【図４】本カバーの使用例の正面説明図である。
【図５】本カバーの使用例の背面説明図である。
【考案を実施するための形態】
【００１７】
本考案の実施の形態について図面を参照しながら説明する。
［実施の形態の概要］
本考案の実施の実施に係る書類収納ノートカバーは、ノートの表（おもて）表紙と裏表紙をカバーする第１面と第２面の両脇に第３面と第４面を形成し、第１面と第２面の外側、第３面と第４面の外側と内側の６ヵ所に透明素材のポケットを設けたものであり、ノートを収納すると共に、複数の書類を複数のポケットに収納でき、ノートと共に多様な書類を分類・整理して携帯できるものである。
【００１８】
［本カバー：図１、図２］
本考案の実施の形態に係る書類収納ノートカバー（本カバー）について図面を参照しながら説明する。図１は、本カバーの正面説明図であり、図２は、本カバーの背面説明図である。
本カバーは、図１、図２に示すように、第１面１１と、第２面１２と、第３面１３と、第４面１４とを基本的に備えている。
そして、第１面１１と第２面１２とが第１の接続部２１で接続され、第１面１１と第３面１３とが第２の接続部２２で接続され、第２面１２と第４面１４とが第３の接続部２３で接続されている。
本カバーでは、説明をしやすくするために、接続部を明示しているが、製品としては、全体が一体に形成されるものである。
【００１９】
［本カバーの各部］
［第１面１１］
第１面１１は、ノートの表表紙をカバーするもので、内側面にノートの表表紙を差し込むポケット１１ａを備え、外側面に書類を収納するポケット１１ｂを備えている。
ポケット１１ａは、第１の接続部２１側に挿入口を備え、透明素材で形成されている。
ポケット１１ａは、ノートの表表紙を差し込みやすくするため、ポケット１１ｂより幅が狭くなっている。
ポケット１１ｂは、第１の接続部２１側に挿入口を備え、透明素材で形成されている。
【００２０】
本カバーにおける第１面１１、第２面１２、第３面１３、第４面１４は、ＰＰ（ポリプロピレン）、ＰＶＣ（ポリ塩化ビニル）等の素材で構成され、透明素材は、ポリエステル、ＰＶＣ等で構成されている。
【００２１】
［第２面１２］
第２面１２は、ノートの裏表紙をカバーするもので、内側面にノートの裏表紙を差し込むポケット１２ａを備え、外側面に書類を収納するポケット１２ｂを備えている。
ポケット１２ａは、第１の接続部２１側に挿入口を備え、透明素材で形成されている。
ポケット１２ａは、ノートの裏表紙を差し込みやすくするため、ポケット１２ｂより幅が狭くなっている。
ポケット１２ｂは、第１の接続部２１側に挿入口を備え、透明素材で形成されている。
【００２２】
［第３面１３］
第３面１３は、第１面１１の内側面に連続する面（内側面）に書類を収納するポケット１３ａを備え、第１面１１の外側面に連続する面（外側面）に書類を収納するポケット１３ｂを備えている。
ポケット１３ａは、第２の接続部２２とは反対側の端部に挿入口が設けられ、透明素材で形成されている。
ポケット１３ｂは、第２の接続部２２とは反対側の端部に挿入口が設けられ、透明素材で形成されている。
【００２３】
［第４面１４］
第４面１４は、第２面１２の内側面に連続する面（内側面）に書類を収納するポケット１４ａを備え、第２面１２の外側面に連続する面（外側面）に書類を収納するポケット１４ｂを備えている。
ポケット１４ａは、第３の接続部２３とは反対側の端部に挿入口が設けられ、透明素材で形成されている。
ポケット１４ｂは、第３の接続部２３とは反対側の端部に挿入口が設けられ、透明素材で形成されている。
【００２４】
［第１の接続部２１］
第１の接続部２１は、第１面１１と第２面１２とを接続するもので、第１面１１の内側面と第２面１２の内側面が閉じ合わされるように、正面から見て谷折りになる構成である。
【００２５】
［第２の接続部２２］
第２の接続部２２は、第１面１１と第３面１３とを接続するもので、第１面１１の外側面と第３面１３の外側面が閉じ合わされるように、正面から見て山折りになる構成である。 
【００２６】
［第３の接続部２３］
第３の接続部２３は、第２面１２と第４面１４とを接続するもので、第２面１２の外側面と第４面１４の外側面が閉じ合わされるように、正面から見て山折りになる構成である。
【００２７】
［折り畳まれた状態：図３］
本カバーの折り畳まれた状態について図３を参照しながら説明する。図３は、本カバーが折り畳まれた状態を示す概略図である。
本カバーは、第１面１１の内側面と第２面１２の内側面が閉じ合わされ、第１面１１の外側面と第３面１３の外側面が閉じ合わされ、第２面１２の外側面と第４面１４の外側面が閉じ合わされて、折り畳まれるものである。 
【００２８】
従って、本カバーが完全に畳み込まれると、図３に示すように、横方向の長さが図１、図２の横方向の長さの１／４になる。そして、第３面１３の内側面が表になると、第４面１４の内側面が裏となる。図３では、第３面１３のポケット１３ａが表になっている。
【００２９】
［第１の接着部］
第１面１１と第３面１３を接着させるために、第１の接着部として、一対のスナップボタンが設けられている。
具体的には、第１面１１の外側面にスナップボタン３１ｃ、第３面１３の外側面にスナップボタン３２ｃが設けられ、スナップボタン３１ｃ，３２ｃの一方が雄形状で、他方が雌形状である。
尚、第１面１１の内側面のスナップボタン３１aと第３面１３の内側面のスナップボタン３２ａは、それぞれスナップボタン３１ｃ，３２ｃのヘッド部分を示している。
【００３０】
［第２の接着部］
第２面１２と第４面１４を接着させるために、第２の接着部として、一対のスナップボタンが設けられている。
具体的には、第２面１２の外側面にスナップボタン３１ｄ、第４面１４の外側面にスナップボタン３２ｄが設けられ、スナップボタン３１ｄ，３２ｄの一方が雄形状で、他方が雌形状である。
尚、第２面１２の内側面のスナップボタン３１ｂと第４面１４の内側面のスナップボタン３２ｂは、それぞれスナップボタン３１ｄ，３２ｄのヘッド部分を示している。
【００３１】
［本カバーの使用例：図４、図５］
次に、本カバーの使用例について全てを開いた状態について図４、図５を参照しながら説明する。図４は、本カバーの使用例の正面説明図であり、図５は、本カバーの使用例の背面説明図である。
本カバーの内側は、図４に示すように、第１面１１の内側面のポケット１１ａにノート４０の表表紙が差し込まれ、第２面１２の内側面のポケット１２ａにノート４０の裏表紙が差し込まれており、第３面１３の内側面のポケット１３ａを第１のポケットとし、第４面１４の内側面のポケット１４ａを第２のポケットとして、書類等の収納に使用されている。
【００３２】
特に、本カバーにおいて、ポケット１３ａ，１４ａに収納する書類は、ノートを広げた状態で参照する頻度の高いものとすると、より使い勝手がよいものとなる。
【００３３】
また、背面側は、図５に示すように、第４面１４の外側面のポケット１４ｂを第３のポケットとし、第２面１２の外側面のポケット１２ｂを第４のポケットとし、第１面１１の外側面のポケット１１ｂを第５のポケットとし、第３面１３の外側面のポケット１３ｂを第６のポケットとして、書類等の収納に使用されている。
【００３４】
このように、ノート４０を差し込んだ状態で、第１〜６のポケットを提供でき、ノート４０を差し込むポケット１１ａ，１２ａにも書類を収納できるので、ノート４０と共に多様な書類を分類して収納でき、ファイルやバインダーを複数持ち歩く必要がないものである。
【００３５】
［実施の形態の効果］
本カバーによれば、第１面１１の内側面のポケット１１ａと第２面１２の内側面のポケット１２ａでノートを固定収納し、第１面１１の外側面のポケット１１ｂ、第２面１２の外側面のポケット１２ｂ、第３面１３の内側面のポケット１３ａ、第３面の外側面のポケット１３ｂ、第４面１４の内側面のポケット１４ａ、第４面１４の外側面のポケット１４ｂに書類を収納できるので、ノートと共に多様な書類を分類して携帯できるという効果がある。
【００３６】
また、本カバーによれば、第１面１１の内側面のポケット１１ａと、第２面１２の内側面のポケット１２ａにはノートの表表紙と裏表紙を差し込みだけでなく、書類も収納することができ、収納する書類を増やすことができる効果がある。
【００３７】
また、本カバーによれば、第１の接着部で、第１面１１と第３面１３とを接着すると共に、第２の接着部で、第２面１２と第４面１４とを接着することができるので、持ち運ぶときにバラけることがないという効果がある。
【産業上の利用可能性】
【００３８】
本考案は、ノートを収納しつつ、複数の書類を見やすく複数のポケットに収納できる書類収納ノートカバーに適している。
【符号の説明】
【００３９】
１１…第１面、  １２…第２面、  １３…第３面、  １４…第４面、  １１ａ，１１ｂ，１２ａ，１２ｂ，１３ａ，１３ｂ，１４ａ，１４ｂ…ポケット、  ２１…第１の接続部、  ２２…第２の接続部、  ２３…第３の接続部、  ３１，３２，３３…スナップボタン（３１ａ，３１ｃ，３２ａ，３２ｃ…第１の接着部、  ３１ｂ，３１ｄ，３２ｂ，３２ｄ…第２の接着部）、  ４０…ノート
【図１】
0003210837.tif 000003
【図２】
0003210837.tif 000004
【図３】
0003210837.tif 000005
【図４】
0003210837.tif 000006
【図５】
0003210837.tif 000007